(57)【要約】【課題】整流装置から複数の通信装置に電流を分岐する電流分配装置を有する直流給電システムでは、接続された負荷装置の定格電流にばらつきが大きい場合に、一部の負荷装置に短絡事故が発生した時に、他の正常な負荷装置の前段に接続された入力コンデンサから電流が電流分配装置に逆流し、保護用ヒューズを溶断して、正常な負荷装置をシステムダウンさせるという問題があった。【解決手段】電流分配装置内、又は、負荷装置の入力段に逆流防止用のダイオードを配置することにした。他の負荷装置の短絡事故によって、正常な負荷装置がシステムダウンする問題を防止することが可能になった。【選択図】  図１
2007325413.tif 000002
【特許請求の範囲】
【請求項１】
電源装置と前記電源装置から供給される電力を複数の負荷装置に分配する電流分配装置とからなる直流給電システムにおいて、過電流保護用のヒューズに直列に逆流防止用のダイオードを接続したことを特徴とする電流分配装置。
【請求項２】
請求項１記載の電流分配装置を有する直流給電システム。
【請求項３】
電源装置と前記電源装置から供給される電力を複数の負荷装置に分配する電流分配装置とからなる直流給電システムから電力を供給され、供給電力を入力する端子と入力コンデンサの間に逆流防止用のダイオードを配置したことを特徴とする負荷装置。
【発明の詳細な説明】
【技術分野】
【０００１】
本発明は、整流装置から通信装置に電流を分岐する電流分配装置に関する。
【背景技術】
【０００２】
【特許文献１】特許第330878号公報
【０００３】
図３は、従来の直流給電システムの回路図である。図３に示す直流給電システムは、整流装置１０１、従来の電流分配装置１０２、通信装置１０３、１０４、各通信装置の前段に接続された入力コンデンサ１０６、１０９、通信装置ユニット１０７、１１０から構成される。従来の電流分配装置１０２の内部回路は、系統保護用ヒューズ１０５、１０８により構成される。
整流装置１０１から給電される直流電力は電流分配装置１０２において分岐され、系統保護用ヒューズ１０５を介して、通信装置１０３の入力コンデンサ１０６を充電しながら通信装置ユニット１０７に給電されるとともに、同様に系統保護用ヒューズ１０８を介して、通信装置１０４の入力コンデンサ１０９を充電しながら通信装置ユニット１１０に給電される。
ここで、例えば、通信装置ユニット１０７に短絡事故が発生した場合、整流装置１０１及び入力コンデンサ１０６から通信装置ユニット１０７に過電流が流れ、系統保護用ヒューズ１０５が溶断し、通信装置１０３を給電系統から速やかに切り離すことにより給電システムを保護している。この保護を速やかに行い、かつ長寿命で用いるため、通常、系統保護用ヒューズ１０５及び系統保護用ヒューズ１０８は、それぞれ通信装置１０３及び通信装置１０４の定格電流の４/3倍程度の定格電流のヒューズが使用される。
【発明の開示】
【発明が解決しようとする課題】
【０００４】
前記したヒューズ定格電流の設定基準に従うと、通信装置１０４の定格電流が通信装置１０３の定格電流に対し著しく小さい場合、系統保護用ヒューズ１０８の定格電流は系統保護用ヒューズ１０５の定格電流に対し著しく小さくなる。また、通信装置１０３及び通信装置１０４の入力コンデンサ容量は、EMI対策や給電系統の安定性のために近年大容量のコンデンサが選定される場合がある。このため、従来の電流分配装置では、通信装置ユニット１０７に短絡事故が発生した場合、整流装置１０１、入力コンデンサ１０６からだけでなく、入力コンデンサ１０９からも通信装置ユニット１０７に過電流が流れ、系統保護用ヒューズ１０５が溶断するとともに、系統保護用ヒューズ１０８も溶断し、健全な通信装置１０４をシステムダウンさせてしまうという問題があった。
【課題を解決するための手段】
【０００５】
本発明（１）は、電源装置と前記電源装置から供給される電力を複数の負荷装置に分配する電流分配装置とからなる直流給電システムにおいて、過電流保護用のヒューズに直列に逆流防止用のダイオードを接続したことを特徴とする電流分配装置である。
【０００６】
本発明（２）は、前記発明（１）の電流分配装置を有する直流給電システムである。
【０００７】
本発明（３）は、電源装置と前記電源装置から供給される電力を複数の負荷装置に分配する電流分配装置とからなる直流給電システムから電力を供給され、供給電力を入力する端子と入力コンデンサの間に逆流防止用のダイオードを配置したことを特徴とする負荷装置である。
【発明の効果】
【０００８】
本発明により、電流分配装置に複数の負荷装置が接続される直流給電システムにおいて、接続された負荷装置の定格電流にばらつきが大きい場合でも、各系統をそれぞれ安全に遮断及び保護することが可能となる。
【発明を実施するための最良の形態】
【０００９】
本発明の直流給電システムは、電流分配装置内、又は、負荷装置の入力段に逆流防止用のダイオードを配置したことに特徴がある。複数の負荷装置に電流を供給する給電システムにおいて、逆流防止用のダイオードを設けることで、一部負荷装置の短絡事故により正常な負荷装置の入力コンデンサからヒューズに電流が逆流し、該ヒューズが溶断することで正常な負荷装置がシステムダウンする問題を防止することが可能である。
【００１０】
（第一の具体例）
図１は、本発明の直流給電システムの第一の具体例である。図１に示す直流給電システムは、負荷装置として、例えば、通信装置に電力を供給する給電システムである。また、電流分配装置２の内部において、逆流防止用のダイオードが系統保護用ヒューズと直列に接続されている点で、図３に示す従来の直流給電システムと異なる。整流装置１から給電される直流電力は電流分配装置２にて分岐され、系統保護用ヒューズ５、ダイオード１１を介して、通信装置３の入力コンデンサ６を充電しながら通信装置ユニット７に給電される。同様に、直流電力は、系統保護用ヒューズ８、ダイオード１２を介して、通信装置４の入力コンデンサ９を充電しながら通信装置ユニット１０に給電される。ここで、通信装置ユニット７に短絡事故が発生した場合、整流装置１及び入力コンデンサ６から通信装置ユニット７に過電流が流れ、系統保護用ヒューズ５が溶断し、通信装置３を給電系統から速やかに切り離す。しかし、入力コンデンサ９からの電流は、ダイオード１２により阻止されるので、系統保護用ヒューズ８は溶断せず、通信装置４のシステムダウンを防ぐことが可能になる。
【００１１】
（第二の具体例）
図２(a)は、本発明の直流給電システムの第二の具体例である。図２(a)に示す直流給電システムは、電流分配装置２の内部において、逆流防止用のダイオードが系統保護用ヒューズと直列に接続されている。第一の具体例が、系統保護用ヒューズが整流装置側に配置され、ダイオードが通信装置側に配置されていたのに対し、第二の具体例では、系統保護用ヒューズが通信装置側に配置され、ダイオードが整流装置側に配置されている。整流装置１から給電される直流電力は電流分配装置２にて分岐され、ダイオード１１、系統保護用ヒューズ５を介して、通信装置３の入力コンデンサ６を充電しながら通信装置ユニット７に給電される。同様に、直流電力は、ダイオード１２、系統保護用ヒューズ８を介して、通信装置４の入力コンデンサ９を充電しながら通信装置ユニット１０に給電される。ここで、通信装置ユニット７に短絡事故が発生した場合、整流装置１及び入力コンデンサ６から通信装置ユニット７に過電流が流れ、系統保護用ヒューズ５が溶断し、通信装置３を給電系統から速やかに切り離す。しかし、入力コンデンサ９からの電流は、ダイオード１２により阻止されるので、系統保護用ヒューズ８は溶断せず、通信装置４のシステムダウンを防ぐことが可能になる。
【００１２】
（第三の具体例）
図２(b)は、本発明の直流給電システムの第三の具体例である。第一、第二の具体例において、逆流防止用ダイオードが電流分配装置内部に配置されていたのに対し、第三の具体例においては、逆流防止用ダイオードが通信装置の内部、入力端子と入力コンデンサの間に配置されている。整流装置１から給電される直流電力は電流分配装置２にて分岐され、系統保護用ヒューズ５、ダイオード１１を介して、通信装置３の入力コンデンサ６を充電しながら通信装置ユニット７に給電される。同様に、直流電力は、系統保護用ヒューズ８、ダイオード１２を介して、通信装置４の入力コンデンサ９を充電しながら通信装置ユニット１０に給電される。ここで、通信装置ユニット７に短絡事故が発生した場合、整流装置１及び入力コンデンサ６から通信装置ユニット７に過電流が流れ、系統保護用ヒューズ５が溶断し、通信装置３を給電系統から速やかに切り離す。しかし、入力コンデンサ９からの電流は、ダイオード１２により阻止されるので、系統保護用ヒューズ８は溶断せず、通信装置４のシステムダウンを防ぐことが可能になる。
【図面の簡単な説明】
【００１３】
【図１】本発明の直流給電システムの第一の具体例の回路図である。
【図２】(a)、(b)は、それぞれ、本発明の直流給電システムの第二、第三の具体例の回路図である。
【図３】従来の直流給電システムの回路図である。
【符号の説明】
【００１４】
１、１０１  整流装置
２、１０２  電流分配装置
３、４、１０３、１０４  通信装置
５、８、１０５、１０８  系統保護用ヒューズ
６、９、１０６、１０９  入力コンデンサ、
７、１０、１０７、１１０  通信装置ユニット
１１、１２  ダイオード
【図１】
2007325413.tif 000003
【図２】
2007325413.tif 000004
【図３】
2007325413.tif 000005